(57)【特許請求の範囲】
【請求項１】
扉の錠のラッチボルト及び／又はデッドボルトを受け入れるようにした開口を有し、扉枠又は両開き扉の他の扉に取り付けられるストライクボックスと、ラッチボルト及び／又はデッドボルトに対する係合部を有し、ストライクボックス内で正面から見て左右方向にのみ移動可能にすると共に、所要位置に定位させるようにした調整フレームとを備えて成る調整ストライクにおいて；ストライクボックス内における前記調整フレームの係合部に対向する部分には傾斜板を設けること；傾斜板には調整フレームの移動方向に沿って長孔を設けること；調整フレームには傾斜板の長孔に向け雄ねじ杆を固設すること；傾斜板の長孔にはくびれ部を嵌め合せることによって該長孔の長さ方向に摺動可能であって軸線の回りに回動可能な調整用の雌ねじ片を装着すること；雌ねじ片は前記雄ねじ杆に螺合させてあること；及び、雌ねじ片にはストライクボックスの開口から差し込まれる操作用の工具が係着される工具係止部を有することを構成条件とする調整ストライク。
【発明の詳細な説明】
【０００１】
【発明の属する技術分野】
この発明は、扉の錠のラッチボルト及び／又はデッドボルトを係入させるため、扉枠又は両開き扉における他の扉に取り付けられる調整ストライクに関する。
【０００２】
【従来の技術】
実公平６―１００５２号公報に記載された調整ストライク、すなわち、表面から内方に方形状の凹入部を有する取付けボックスと、この凹入部に嵌め込むと共に、ドアの開閉方向にスライドするよう設けた表面開放状のスライドボックスとから成り、上記凹入部内の任意の位置にスライドボックスを固定するようにした受金具において、上記スライドボックスの底板と側板とのドア閉鎖方向側コーナーにラッチボルトの斜面に並行する並行部を設け、また上記スライドボックスの並行部に両端が前記スライドボックスの底板と表面開放側に向く長孔を設けて、上記スライドボックス内から前記長孔に貫通したビスを前記取付けボックスに設けてあるネジ孔にねじ込み、さらにスライドボックスにドアの開放方向に押し戻す押圧力を付与するためにばねを設けて成る受金具は、構造が簡単な上、突出位置におけるラッチボルトとスライドボックスの係合部との位置関係を適正に調整して風や振動による扉のがたつきを排除するについて、ストライクの取付後にドライバ等の工具を用いた簡単な操作でそれを行うことができるなどの利点を有している。
【０００３】
しかしながら、上記した構成の受金具は、長孔とビスとが遊嵌しているので、スライドボックスを取付ボックスの底板から離間する方向に駆動することができず、この場合にはビスに巻装したコイルばねによりスライドボックスを駆動しなければならない。
【０００４】
その為、その分構造が複雑になるし、また、ばねによるスライドボックスの駆動は確実性が望めない、といううらみが残る。
【０００５】
【発明が解決しようとする課題】
この発明の調整ストライクは、調整操作における操作性の良さを犠牲にすることなく、従来の調整ストライクが要していたばねを排し構造を一層簡単にすることを目的として提案されたものである。
【０００６】
【課題を解決するための手段】
上記の目的を達成するため、請求項１に記載された発明は、扉の錠のラッチボルト及び／又はデッドボルトを受け入れるようにした開口を有し、扉枠又は両開き扉の他の扉に取り付けられるストライクボックスと、ラッチボルト及び／又はデッドボルトに対する係合部を有し、ストライクボックス内で正面から見て左右方向にのみ移動可能にすると共に、所要位置に定位させるようにした調整フレームとを備えて成る調整ストライクにおいて；ストライクボックス内における前記調整フレームの係合部に対向する部分には傾斜板を設けること；傾斜板には調整フレームの移動方向に沿って長孔を設けること；調整フレームには傾斜板の長孔に向け雄ねじ杆を固設すること；傾斜板の長孔にはくびれ部を嵌め合せることによって該長孔の長さ方向に摺動可能であって軸線の回りに回動可能な調整用の雌ねじ片を装着すること；雌ねじ片は前記雄ねじ杆に螺合させてあること；及び、雌ねじ片にはストライクボックスの開口から差し込まれる操作用の工具が係着される工具係止部を有することを特徴とする。
【０００７】
【発明の実施の態様】
以下、図示の実施例に基いてこの発明について説明する。
この発明の調整ストライクは、扉の錠のラッチボルト及び／又はデッドボルトを係入させるため、扉枠又は両開き扉における他の扉に取り付けて用いるものである。
【０００８】
図１〜図６において、符号１は扉１０の錠のラッチボルト２０及び／又はデッドボルトを受け入れるようにした開口１３を有するストライクボックスで、取付ねじ（図示しない）により扉枠３０又は両開き扉の他の扉に取り付けられるものである。
【０００９】
図示例のストライクボックス１は、図１及び図２に示すトロヨケ１１と図４に示すストライク板１２とから成り、両者１１、１２は扉枠３０又は両開き扉の他の扉に対し共通の取付ねじで取り付けられる際に重ね合わされて一体的に結合される。
【００１０】
符号１５はトロヨケ１１のねじの嵌め孔で、正面が開口した箱形を成すトロヨケ本体の上下両側のフランジ部１４、１４にそれぞれ設けてある。
【００１１】
符号１６はストライク板１２の上下両側に設けたねじの嵌め孔で、該ストライク板１２とトロヨケ１１とを重合させた時、トロヨケ１１のねじの嵌め孔１５と一致するようにしてある。
【００１２】
ストライクボックス１内には、ラッチボルト２０及び／又はデッドボルトとの係合部３１を有する例えば箱形をなす調整フレーム３が備えられており、その調整フレーム３はストライクボックス１内で正面から見て左右方向にのみ移動可能にされている。
【００１３】
ストライクボックス１内における調整フレーム３の左右方向への移動のための案内手段としては、図示例では、ストライクボックス１の内壁、ストライクボックス１の切欠き部１７、１８にそれぞれ嵌まり合う調整フレーム３の舌片３２、３３及び後述の傾斜板４の先端部等がその役割を果たしているが（図３乃至図５参照）、この調整フレーム用の案内手段は任意に設計することができ、他の形式のものであってもよいことは言うまでもない。
【００１４】
ストライクボックス１内における前記調整フレーム３の係合部３１に対向する部分には傾斜板４が固定的に備えてある。図示例の傾斜板４はストライク板１２の一部をトロヨケ１１内に向け折り曲げて形成して有り、その先端部は調整フレーム３の抜け止め手段を兼ねる案内手段の役割を果たしている。
【００１５】
そして、前記の傾斜板４には、調整フレーム３の移動方向（正面から見て左右方向）に沿うようにして好ましくは一部を開口（外部へ開放）させた長孔４１を設ける（図４参照）。
【００１６】
図示例のように一部、例えば先端を開口させた切欠状の長孔４１では、中央部にくびれ部７１を有する後述の調整用の雌ねじ片７をその開口から嵌め込むことができる。
【００１７】
長孔４１を外部へ開放させていない閉図形とした場合は、雌ねじ片７は少くも２つの部材として作っておき、組み付け時に結合させる必要がある。
【００１８】
なお、前記の傾斜板４は、ストライクボックスとは別体としてそれに固設してもよいし、トロヨケ１１側に設けてもよい。
【００１９】
一方、調整フレーム３における係合部３１の反対側にはストライクボックス１の傾斜板４と平行をなす傾斜部３５が設けられており、その傾斜部３５には先端側が傾斜板４の長孔４１に向くようにして雄ねじ杆６がかしめ付け又は溶接等により固設してある（図５参照）。
【００２０】
そして更に、前記の傾斜板４の長孔４１には、その長孔４１の長さ方向に摺動可能であって軸線の回りに回動可能な例えば円柱状をなす調整用の雌ねじ片７が装着されている。
【００２１】
雌ねじ片７は（図６参照）、長さ方向の中央部に横断面外形が円形で直径が傾斜板４の長孔４１の巾寄りも小さいくびれ部７１を有し、このくびれ部７１が傾斜板４の長孔４１に可動に嵌め込まれる。
【００２２】
そして、これをもって雌ねじ片７は傾斜板４の長孔４１の長さ方向に摺動可能に案内されると共に、傾斜板４に対し回動可能な状態で装着されることになる。
【００２３】
このような雌ねじ片７は上記の雄ねじ杆６に螺合させてあり、この構成により調整フレーム３はストライクボックス１に対し可動に連結される。
【００２４】
また、該雌ねじ片７の外端側には、ストライクボックス１の開口１３から差し込まれるドライバ、六角レンチ等の操作用工具が係着される工具係止部７２が形成されている。
【００２５】
図示例にあっては、雌ねじ片７には、工具係止部７２としてドライバ用のマイナス溝が備えられているが、工具係止部７２はプラス溝又は六角の外面とするなど他の形式としてもよいことは言うまでもない。
【００２６】
なお、図１及び図２において、符号１９はストライクボックス１に設けられた逃がし窓で、その部分に近接した調整フレーム３の一部並びに雄ねじ杆６の基端部を逃がすためのものである。
【００２７】
上記のように構成された本発明の一実施例による調整ストライクにおいては、調整用の雌ねじ片７を工具係止部７２にドライバ等の操作用工具の先端を係着させ、右又は左回りに回動させると、雌ねじ片７に対する雄ねじ杆６のねじ込み深さが変化し、雌ねじ片７は軸線の回りに回動しつつ傾斜板４の長孔４１に沿って摺動することになる。
【００２８】
すなわち、調整用の雌ねじ片７を工具係止部７２にドライバ等の操作用工具の先端を係着させ、右又は左回りに回動させると、調整フレーム３の傾斜部３５が雌ねじ片７に駆動されて、傾斜板４に近接し或いは傾斜板４から離間するように動く（図１及び図２参照）。
【００２７】
すると、この雌ねじ片７の駆動力の、ストライクボックスを正面から見て左右方向の分力が調整フレーム３をストライクボックス１内において左右方向に移動させ、傾斜板４の長孔４１の長さ方向の分力が調整ねじ５を長孔４１に沿って移動させて傾斜板４と調整フレームの傾斜部３５との抉りを解消する。
【００２９】
そして、その間にストライクボックス１内で正面から見て左右方向にのみ移動可能な調整フレーム３を右又は左方向に移動させることができることになる。
【００３０】
ここに、調整フレーム３の係合部３１はラッチボルト２０等に対し適正位置が占められるように調整されることになり、扉の閉鎖時ラッチボルト２０等との間にがたつきを生じさせないようにすることができる。
【００３１】
【発明の効果】
以上に説明したこの発明の調整ストライクによれば、扉のがたつきを無くすための調整操作における操作性の良さを犠牲にすることなく、ばねを排して構造の簡単化を計るという所期の目的を達成する。
【図面の簡単な説明】
【図１】  この発明の調整ストライクの実施例を示す横断平面図。
【図２】  図１とは別の調整位置において示した同じくその横断平面図。
【図３】  図１の実施例から取り外したストライクボックスの一部をなすトロヨケを示す図で、（Ａ）は正面図、（Ｂ）は部分縦断側面図である。
【図４】  図１の実施例から取り外したストライクボックスの一部をなすストライク板を示す図で、（Ａ）は正面図、（Ｂ）は側面図である。
【図５】  図１の実施例から取り外した調整フレームの正面図。
【図６】  雌ねじ片の側面図。
【符号の説明】
１０  扉
２０  ラッチボルト
３０  扉枠
１  ストライクボックス
１３  開口
３  調整フレーム
３１  係合部
３４  雌ねじ孔
４  傾斜板
４１  長孔
６  雄ねじ杆
７  雌ねじ杆
７２  工具係止部
【図１】
0003961614.tif 000002
【図２】
0003961614.tif 000003
【図３】
0003961614.tif 000004
【図４】
0003961614.tif 000005
【図５】
0003961614.tif 000006
【図６】
0003961614.tif 000007